(57)【要約】      （修正有）【課題】保冷剤を湾曲させながら冷却するための構成を一纏めにして冷凍庫の空間を有効活用できる保冷剤セット、及び保冷剤セットの保冷剤を用いて身体を冷却する身体冷却セットを提供する。【解決手段】保冷剤１０と、上面に開口部２５が設けられ保冷剤１０が冷却されるときに収納されるケース本体部２１、及び開口部２５を塞ぐケース蓋部２３を備えるケース２０と、ケース本体部２１の底部に設けられて保冷剤１０が載置され、その両端が上向きに湾曲されるとともに可撓性を有する下側保持部３０と、保冷剤１０の上に配置され、その中央部が下向きに湾曲されるとともに可撓性を有し、かつ下側保持部３０よりも可撓性に乏しい上側保持部３３と、を備える。また、保冷剤１０を収納する布製の収納袋を備える。【選択図】図１
0003228878.tif 000002
【実用新案登録請求の範囲】
【請求項１】
保冷物質、及び前記保冷物質を軟質プラスチックの袋材で包んだ保冷剤と、
上面に開口部が設けられ前記保冷剤が冷却されるときに収納されるケース本体部、及び前記開口部を塞ぐケース蓋部を備えるケースと、
前記ケース本体部の底部に設けられて前記保冷剤が載置され、その両端が上向きに湾曲されるとともに可撓性を有する下側保持部と、
前記保冷剤の上に配置され、その中央部が下向きに湾曲されるとともに可撓性を有し、かつ前記下側保持部よりも可撓性に乏しい上側保持部と、
を備えることを特徴とする保冷剤セット。
【請求項２】
前記下側保持部と前記上側保持部とが板状部材で構成されている請求項１に記載の保冷剤セット。
【請求項３】
前記上側保持部の下面の両端に、該両端に沿った帯状の平坦部が設けられている請求項１又は２に記載の保冷剤セット。
【請求項４】
前記下側保持部と前記ケース本体部の底部との間に、前記下側保持部の可撓性を調整するためのバネ部材が設けられている請求項１ないし３のいずれか１項に記載の保冷剤セット。
【請求項５】
前記ケース蓋部が前記ケース本体部から外れないよう、前記ケース本体部と前記ケース蓋部とを拘束する拘束部材を備える請求項１ないし４のいずれか１項に記載の保冷剤セット。
【請求項６】
前記袋材の端部を内側に折り返す第１折り返し部と、
さらに前記袋材の四隅を内側に折り返す第２折り返し部と、
を備える請求項１ないし５のいずれか１項に記載の保冷剤セット。
【請求項７】
請求項１ないし６のいずれか１項に記載の保冷剤セットで冷却された保冷剤と、
前記保冷剤を収納する布製の収納袋と、
を備えることを特徴とする身体冷却セット。
【請求項８】
前記収納袋をヘアバンド又は帽子の後部に設けられるアジャスタに係止してぶら下げるための係止部を備える請求項７に記載の身体冷却セット。
【請求項９】
前記収納袋をぶら下げる紐材と、
前記収納袋に設けられ、前記紐材を通す又は締結する締結部と、
を備える請求項７又は８に記載の身体冷却セット。
【考案の詳細な説明】
【技術分野】
【０００１】
本考案は、保冷剤を湾曲した状態で冷却する保冷剤セット、及び前記保冷剤セットの保冷剤を用いて身体を冷却する身体冷却セットに関する。
【背景技術】
【０００２】
従来、特開２０１１−１２１９９７公報に、保冷剤を型に挟み固定して凍結した状態で、店舗の冷凍陳列庫にいれたり、保冷箱に入れてイベントの会場内などで持ち運んだりして販売する保冷剤及び保冷庫ならびにその販売方法が開示されている。
【先行技術文献】
【特許文献】
【０００３】
【特許文献１】特開２０１１−１２１９９７公報
【考案の概要】
【考案が解決しようとする課題】
【０００４】
保冷剤を冷却して凍らせるとき、保冷剤を挟み込む型をきちんと固定しないと、保冷剤が膨張して歪な形になりきれいに湾曲されないことが多々ある。ここで、特許文献１に開示されている保冷剤用の型では、保冷剤を挟んだ状態で上下の型を固定する手段がクランプとされている（特許文献１の明細書段落番号「００１８」参照。）。しかし、このクランプを用いると、型が保冷剤に対して大きくなりすぎ、冷凍庫の空間を占領してしまう恐れがあった。また、型をクランプを用いて固定した状態では、特許文献１の図３に記載されている個別収納区画５に収納することは難しい。さらに、個別収納区画５をクランプ代わりにすると、膨張した保冷剤によって型が個別収納区画５の上下の壁に押し付けられて、型と保冷剤とを取り出すのが困難になる恐れがある。
【０００５】
本考案は上記の点に鑑みなされたもので、保冷剤の形を整える下側保持部と上側保持部とを収納するケースを備えることで、保冷剤を湾曲させながら冷却するための構成を一纏めにして冷凍庫の空間を有効活用できる保冷剤セット、及び前記保冷剤セットの保冷剤を用いて身体を冷却する身体冷却セットを提供することを目的とする。
【課題を解決するための手段】
【０００６】
本考案の保冷剤セットは、
保冷物質、及び前記保冷物質を軟質プラスチックの袋材で包んだ保冷剤と、
上面に開口部が設けられ前記保冷剤が冷却されるときに収納されるケース本体部、及び前記開口部を塞ぐケース蓋部を備えるケースと、
前記ケース本体部の底部に設けられて前記保冷剤が載置され、その両端が上向きに湾曲されるとともに可撓性を有する下側保持部と、
前記保冷剤の上に配置され、その中央部が下向きに湾曲されるとともに可撓性を有し、かつ前記下側保持部よりも可撓性に乏しい上側保持部と、
を備えることを特徴とする。
【０００７】
本考案の保冷剤セットによれば、ケースの内部に下から順に下側保持部、保冷剤、上側保持部が積層される。また、ケース蓋部によって上側保持部を押えることができる。これにより、保冷剤を湾曲させながら冷却するための構成を一纏めにすることができ、冷却時に空間効率に優れたものとすることができる。また、下側保持部と上側保持部の双方が可撓性を有しているが、上側保持部の方が下側保持部より変形し難くなっている。このため、保冷剤の保冷物質が凝固するときに膨張するが、その膨張が主に下側保持部の撓みによって吸収される。これにより、下側保持部と上側保持部によって湾曲された保冷剤の、上側保持部に当接される部分の形状は上側保持部に略倣ったものとなり、保冷剤を身体に当接させたときの当たり具合を適切な物とすることができる。
【０００８】
本考案の保冷剤セットの好ましい例は、
前記下側保持部と前記上側保持部とが板状部材で構成されている。
【０００９】
本考案の保冷剤セットの好ましい例によれば、下側保持部と上側保持部とが板状部材で構成されているため、下側保持部と上側保持部の材質や板厚を変更することで、容易にこれらの可撓性の度合を変更することができる。
【００１０】
本考案の保冷剤セットの好ましい例は、
前記上側保持部の下面の両端に、該両端に沿った帯状の平坦部が設けられている。
【００１１】
本考案の保冷剤セットの好ましい例によれば、上側保持部の下面の両端に、該両端に沿った帯状の平坦部が設けられているため、保冷剤の身体に当接される側の端部が平らになる。これにより、保冷剤を身体に当接させたときの、当たり具合を和らげることができる。
【００１２】
本考案の保冷剤セットの好ましい例は、
前記下側保持部と前記ケース本体部の底部との間に、前記下側保持部の可撓性を調整するためのバネ部材が設けられている。
【００１３】
本考案の保冷剤セットの好ましい例によれば、下側保持部の可撓性を調整するためのバネ部材が設けられているため、下側保持部の調整が容易となる。
【００１４】
本考案の保冷剤セットの好ましい例は、
前記ケース蓋部が前記ケース本体部から外れないよう、前記ケース本体部と前記ケース蓋部とを拘束する拘束部材を備える。
【００１５】
本考案の保冷剤セットの好ましい例によれば、ケース本体部とケース蓋部とを拘束する拘束部材を備えるため、保冷剤の保冷物質が凝固によって膨張する力に対抗することができる。これにより、保冷剤がより強く上側保持部に当接され、冷却したときに所望の形状の保冷剤とすることができる。
【００１６】
本考案の保冷剤セットの好ましい例は、
前記袋材の端部を内側に折り返す第１折り返し部と、
さらに前記袋材の四隅を内側に折り返す第２折り返し部と、
を備える。
【００１７】
本考案の保冷剤セットの好ましい例によれば、袋材の端と四隅を内側に折り返しているため、冷却した後に保冷剤を身体に当接させるときの当たり具合を、さらに和らげることができる。
【００１８】
本考案の身体冷却セットは、
上記の考案の保冷剤セットで冷却された保冷剤と、
前記保冷剤を収納する布製の収納袋と、
を備える。
【００１９】
本考案の身体冷却セットによれば、保冷剤が上側保持部に沿って湾曲された状態で、収納袋を介して身体に当接されるため、身体の曲線に保冷剤が沿いやすく、身体への当たり具合を和らげることができる。
【００２０】
本考案の身体冷却セットの好ましい例は、
前記収納袋をヘアバンド又は帽子の後部に設けられるアジャスタに係止してぶら下げるための係止部を備える。
【００２１】
本考案の身体冷却セットの好ましい例によれば、身体のうち後頭部から首筋にかけてを冷却することができる。
【００２２】
本考案の身体冷却セットの好ましい例は、
前記収納袋をぶら下げる紐材と、
前記収納袋に設けられ、前記紐材を通す又は締結する締結部と、
を備える。
【００２３】
本考案の身体冷却セットの好ましい例によれば、収納袋を紐でぶら下げることができるため、例えば紐を首や肩にかけて保冷剤を身体の所望の位置に配置させることができる。
【考案の効果】
【００２４】
上述したように、本考案の保冷剤セット及び身体冷却セットによれば、保冷剤の形を整える下側保持部と上側保持部とを収納するケースを備えることで、保冷剤を湾曲させながら冷却するための構成を一纏めにして冷凍庫の空間を有効活用でき、さらに、保冷剤セットの保冷剤を用いて効果的に身体を冷却することができる。
【図面の簡単な説明】
【００２５】
【図１】本考案の一実施形態に係る保冷剤セットを説明する図である。
【図２】図１のＡ−Ａ線断面図と冷却した保冷剤を示す図である。
【図３】保冷剤の第１折り返し部と第２折り返し部を説明する図である。
【図４】収納袋を説明する正面斜視図である。
【図５】収納袋を説明する背面斜視図である。
【図６】収納袋を帽子のアジャスタに係止した状態を説明する図である。
【考案を実施するための形態】
【００２６】
以下、本考案の保冷剤セット１及び身体冷却セット２の実施形態について、添付図面を参照して詳細に説明する。先ずは、保冷剤セット１の実施形態を説明する。図１及び図２（Ａ）（Ｂ）に示すように、本実施形態の保冷剤セット１は、保冷剤１０と、ケース２０と、下側保持部３０と、上側保持部３３と、バネ部材３１と、拘束部材４０とを備える。
【００２７】
保冷剤１０は、ゲル状の保冷物質が軟質プラスチックの袋材１１で包まれたものである。保冷物質が常温ではゲル状となり、氷点下に冷却されると凝固して固体となる。なお、保冷物質の主成分は一般的に水であるため、凝固する際には膨張する。また、図３（Ａ）〜（Ｃ）に示すように、保冷剤１０は、袋材の端部１２を内側に折り返す第１折り返し部１３と、さらにその状態から袋材１１の四隅を内側に折り返す第２折り返し部１４とを備える。これにより、保冷剤１０が冷却されて凝固したとき、保冷剤１０の角が丸くなり、身体に当接させたときの感触を和らげることができる。なお、袋材の端部１２とは、袋材１１を綴じるときに接着等される綴じ代部分を意図する。
【００２８】
図１及び図２に戻り、ケース２０は、ケース本体部２１と、ケース蓋部２３とを備える。ケース本体部２１は、上面に開口部２５が設けられ、保冷剤１０が冷却されるときに収納される箱状のものである。そして、開口部２５の周縁の一部には一対の本体部用持ち手２２が設けられる。ケース蓋部２３は、ケース本体部２１の開口部２５を塞ぐものであり、開口部２５に嵌められる形状となっている。また、前記本体部用持ち手２２に対応する位置に、蓋部用持ち手２４が設けられる。
【００２９】
下側保持部３０は、ケース本体部２１の底部に設けられる板状の部材で、保冷剤１０がその上に載置される。また、下側保持部３０は、その両端が上向きに湾曲されるとともに可撓性を有する。本実施形態では、プラスチックの板を用いて、上向きに湾曲された部分が下方向に撓むように構成される。なお、下側保持部３０にはプラスチックの板以外に、金属の板や木材の板を用いることもできる。
【００３０】
バネ部材３１は、下側保持部３０とケース本体部２１との間に設けられる板状の部材である。この板状の部材のうち、下側保持部３０の上側に湾曲された部分に対応する場所の一部を、上側に折曲げてバネ３２としている。本実施形態では、このバネ部材３１にプラスチックの板を採用しているが、金属の板であってもよいし、コイルばね等をケース本体部２１の底部に設けてもよい。このバネ部材３１で、下側保持部３０の可撓性の度合を調整することができる。また、バネ部材３１は、下側保持部３０がケース本体部２１の中で一方に傾かないように、その姿勢を保持する役目も有する。
【００３１】
上側保持部３３は、下側保持部３０の上に載置された保冷剤１０の上に、さらに配置される板状の部材である。また、上側保持部３３は、その中央部が下向きに湾曲されるとともに、下側保持部３０よりも可撓性が乏しく、下側保持部３０より硬い材質で構成されている。本実施形態では、この上側保持部３３に金属の板を用いている。この上側保持部３３が下側保持部３０より硬く構成されていることで、保冷剤１０が冷却されて凝固するときの膨張を上側保持部３３で受け止めつつ、下側保持部３０に逃がすことができる。また、上側保持部３３の下面の両端に、該両端に沿った帯状の平坦部３４が設けられている。この平坦部３４によって、保冷剤１０を凝固させたときに、保冷剤の端部１５が平坦な状態となる。これらにより、上側保持部３３に当接する面の保冷剤１０の形状を、きれいに保つことができる。なお、本実施形態では、上側保持部３４を板状の部材で構成しているため、平坦部３４は、上側保持部３４の上面と同様の形状をなす。
【００３２】
拘束部材４０は、ケース蓋部２３がケース本体部２１から外れないよう、ケース本体部２１とケース蓋部２３とを拘束するものである。本実施形態では、拘束部材４０に側面視略コ字状の部材を採用している。この拘束部材４０の切り欠かれた溝４１を、本体部用持ち手２２と蓋部用持ち手２４とが重なり合わされた部分に嵌めて、ケース本体部２１とケース蓋部２３とを拘束する。これにより、保冷剤１０が冷却されて凝固するときに膨張しても、ケース蓋部２３がケース本体部２１から外れることがない。また、拘束部材４０は、本実施形態以外にも、市販のクリップ等を用いることもできる。また、帯状の部材でケース本体部２１とケース蓋部２３とを巻いてもよいし、ケース本体部２１とケース蓋部２３とを何らかの留め具で留めてもよい。
【００３３】
次に、図４及び図５を参照して、身体冷却セット２を説明する。本実施形態の身体冷却セット２は、上述の実施形態に係る保冷剤セット１で冷却された保冷剤１０（図示せず）と、収納袋５０と、係止部６２と、紐材６１とを備える。
【００３４】
保冷剤１０は、下側保持部３０と上側保持部３３とに挟まれた状態で冷却され凝固されているため、図２（Ｂ）に示すように、側面視で弧状に湾曲されるとともに、保冷剤の端部１５が略平らとなっている。
【００３５】
収納袋５０は、袋本体部５１と、第１蓋部５６と、第２蓋部５７と、第３蓋部５８と、被装着部５４とを備える。袋本体部５１は、布地からなる略直方体のものであり、この袋本体部５１に保冷剤１０が入れられる。この袋本体部５１の背面５３は身体に当接される部分であり、肌触りを良くするためにタオル地の布が用いられ、背面５３以外は断熱性に優れるフェルト材が用いられる。また、袋本体部５１の正面５２には、面ファスナｆ１からなる被装着部５４と、この被装着部５４を使用しないときに被装着部５４を覆う、覆い部５５が設けられる。この覆い部５５の裏面にも、被装着部５４に対応する面ファスナｆ２が設けられる（図６参照）。さらに、紐材６１を結ぶ又は通すための締結部６０が袋本体部５１の左右に一対設けられる。この紐材６１を袋本体部５１に取付けることで、紐材６１を肩や首に掛けて、保冷剤１０を入れた収納袋５０を持ち歩くことや、腕や足等に収納袋５０を巻付けることができる。
【００３６】
第１蓋部５６は、袋本体部５１の上部の開口を塞ぐもので、袋本体部５１の幅と同じ長さを備えている。また、第１蓋部５６が閉じられた状態でその上面に該当する面には、面ファスナｆ３が設けられる。第２蓋部５７は、第１蓋部５６と対向する側に設けられるもので、袋本体部５１の幅方向の両端のみに設けられる。そして、第２蓋部５７のうち、第１蓋部５６の面ファスナｆ３に対応する面に、面ファスナｆ４が設けられ、第１蓋部５６の面ファスナｆ３と第２蓋部５７の面ファスナｆ４とが係合されて袋本体部５１の蓋をなす。第３蓋部５８は、第１蓋部５６と対向する側に設けられるもので、２つの第２蓋部５７に挟まれるように配置される。この第３蓋部５８にも、第１蓋部５６の面ファスナｆ３に対応する面に面ファスナｆ５が設けられ、第１蓋部５６の面ファスナｆ３と第３蓋部５８の面ファスナｆ５とが係合されて袋本体部５１の蓋をなす。また、第３蓋部５８は、係止部６２を用いるときは立てられて、係止部６２が装着される場所として機能する（図６参照）。
【００３７】
係止部６２は、帯状の布製部材であり、その両面の一部に面ファスナｆ６，ｆ７が設けられる。そして、図６に示すように、例えば、帽子７０のアジャスタ７１に袋本体部５１を係止部６２によって係止させて、後頭部を冷やすことができる。この際、係止部６２の面ファスナｆ６，ｆ７は、一方の面ファスナｆ７が袋本体部５１の被装着部５４（面ファスナｆ１）に装着され、他方の面ファスナｆ６が第３蓋部５８の面ファスナｆ５に装着される。また、係止部６２を係止するのは帽子７０のアジャスタ７１に限られず、ヘアバンド等も用いることができる。さらに、帯やベルトを身体の他の部分に巻付けて使用することができる。
【００３８】
以上、説明したように、本実施形態の保冷剤セット１によれば、全体を小さくまとめながら、保冷剤１０を湾曲させた状態で冷却し凝固させることができる。また、上側保持部３３が下側保持部３０より硬く構成されているため、保冷剤１０のうち身体に当接される面を上側保持部３３に倣ってきれいに湾曲させることができる、さらに、上側保持部３３の平坦部３４によって、保冷剤の端部１５を略平らに仕上げることができる。またさらに、保冷剤の端部１５を第１折り返し部１３と第２折り返し部１４とによって折り返している。これらにより、保冷剤１０を身体に当接させたときの接触面積を増やすことができるとともに、当接させたときの感触を和らげることができる。
【００３９】
また、身体冷却セット２では、保冷剤セット１で冷却された保冷剤１０を入れた収納袋５０を身体に当接させる。この収納袋５０のうち、身体に当接される背面５３は肌触りのよいタオル地の布で構成され、それ以外の部分は断熱性に優れたフェルト材で構成されている。これらにより、保冷剤１０の程よい冷たさを身体に伝えることができるとともに、冷たさが長持ちする。
【００４０】
また、収納袋５０を係止部６２によって帽子７０のアジャスタ７１等にぶら下げることができるため、日差しから後頭部を保護しつつ、後頭部を冷やすことができ、特に真夏の屋外において快適であり、熱中症の予防に効果的である。
【００４１】
なお、上述の保冷剤セット及び身体冷却セットは、本考案の例示であり、考案の趣旨を逸脱しない範囲においてその構成を適宜変更することができる。
【符号の説明】
【００４２】
１・・保冷剤セット、２・・身体冷却セット、
１０・・保冷剤、１１・・袋材、１２・・袋材の端部、１３・・第１折り返し部、１４・・第２折り返し部、１５・・保冷剤の端部、
２０・・ケース、２１・・ケース本体部、２２・・本体部用持ち手、２３・・ケース蓋部、２４・・蓋部用持ち手、２５・・開口部、
３０・・下側保持部、３１・・バネ部材、３２・・バネ、３３・・上側保持部、３４・・平坦部、
４０・・拘束部材、４１・・溝、
５０・・収納袋、５１・・袋本体部、５２・・正面、５３・・背面、５４・・被装着部、５５・・覆い部、５６・・第１蓋部、５７・・第２蓋部、５８・・第３蓋部、
６０・・締結部、６１・・紐材、６２・・係止部、
７０・・帽子、７１・・アジャスタ、
ｆ１，ｆ２，ｆ３，ｆ４，ｆ５，ｆ６，ｆ７・・面ファスナ、
【図１】
0003228878.tif 000003
【図２】
0003228878.tif 000004
【図３】
0003228878.tif 000005
【図４】
0003228878.tif 000006
【図５】
0003228878.tif 000007
【図６】
0003228878.tif 000008